(57)【要約】【課題】様々な使用環境においても不具合が生じることのないようにLNB用電源のオン／オフを制御することができるようにする。【解決手段】LNB用電源のオン／オフを制御する制御信号と、それをミラー積分回路等により約１秒間だけ反転遅延させた信号を用いてAND演算が行われ、AND演算の結果と、ショート状態の有無の検出結果を表す検出信号を用いてOR演算が行われる。その遅延時間だけは、ショート状態が検出されたことを検出信号が表している場合であっても、ショート状態が検出されていないことを表すものになるように作り替えられた信号が制御マイコン１６に供給され、これにより、ショート警告の表示が行われない。本発明は、衛星放送の受信に対応した装置に適用することができる。【選択図】図５
2010147781.tif 000002
【特許請求の範囲】
【請求項１】
LNB用電源を生成する電源回路と、
制御信号を出力することによって前記電源回路からのLNB用電源の供給を制御し、LNB用電源を供給させていない状態において衛星放送を受信できるか否かを判定し、受信できないと判定した場合、前記電源回路からLNB用電源を供給させて所定の時間経過後に衛星放送を受信できるか否かを再度判定する制御回路と、
前記電源回路からLNB用電源の供給が行われている間、LNB用電源の供給に用いられる経路上を流れる電流を検出することによってショート状態の有無を検出することを繰り返し行い、検出結果を表す検出信号を出力する検出回路と、
前記検出回路から出力されたショート状態を検出したことを表す前記検出信号を、その信号が供給されてから前記所定の時間と同じ時間だけ、ショート状態を検出していないことを表す信号にして前記制御回路に出力する信号処理回路と
を備える受信装置。
【請求項２】
前記信号処理回路が、
前記制御回路から供給された前記制御信号の値を反転させるとともに、前記所定の時間と同じ時間だけ遅延させた信号を出力する反転遅延回路と、
前記反転遅延回路から出力された信号と、前記反転遅延回路に入力される前記制御信号に基づいてAND演算を行い、演算結果を出力するAND回路と、
前記AND回路の出力と、前記検出回路の出力に基づいてOR演算を行い、演算結果を表す信号を前記制御回路に出力するOR回路と
から構成される
請求項１に記載の受信装置。
【請求項３】
前記信号処理回路が、
前記制御回路から供給された前記制御信号の値を反転させるとともに、前記所定の時間と同じ時間だけ遅延させた信号を出力する反転遅延回路と、
前記反転遅延回路から出力された信号の値を反転させて前記制御回路に出力するNOT回路と
から構成される
請求項１に記載の受信装置。
【請求項４】
LNB用電源を電源回路によって生成し、
制御回路から制御信号を出力することによって前記電源回路からのLNB用電源の供給を制御し、
LNB用電源を供給させていない状態において衛星放送を受信できるか否かを判定し、受信できないと判定した場合、前記電源回路からLNB用電源を供給させて所定の時間経過後に衛星放送を受信できるか否かを再度判定し、
前記電源回路からLNB用電源の供給が行われている間、LNB用電源の供給に用いられる経路上を流れる電流を検出することによってショート状態の有無を検出することを繰り返し検出回路において行い、検出結果を表す検出信号を出力し、
前記検出回路から出力されたショート状態を検出したことを表す前記検出信号を、その信号が供給されてから前記所定の時間と同じ時間だけ、ショート状態を検出していないことを表す信号にして信号処理回路から前記制御回路に出力する
ステップを含む制御方法。
【請求項５】
LNB用電源を生成する電源回路と、
制御信号を出力することによって前記電源回路からのLNB用電源の供給を制御し、LNB用電源を供給させていない状態において衛星放送を受信できるか否かを判定し、受信できないと判定した場合、前記電源回路からLNB用電源を供給させて所定の時間経過後に衛星放送を受信できるか否かを再度判定する制御回路と、
前記電源回路からLNB用電源の供給が行われている間、LNB用電源の供給に用いられる経路上を流れる電流を検出することによってショート状態の有無を検出することを繰り返し行い、検出結果を表す検出信号を出力する検出回路と
を備え、
前記制御回路は、前記検出回路によりショート状態が検出されたタイミングが、前記電源回路からLNB用電源を供給させて前記所定の時間経過後に衛星放送を受信できるか否かを再度判定することを行っている期間内のタイミングである場合、LNB用電源の供給を停止させ、ショート状態を検出したことを通知する警告を出力しない
受信装置。
【請求項６】
LNB用電源を電源回路によって生成し、
制御回路から制御信号を出力することによって前記電源回路からのLNB用電源の供給を制御し、
LNB用電源を供給させていない状態において衛星放送を受信できるか否かを判定し、受信できないと判定した場合、前記電源回路からLNB用電源を供給させて所定の時間経過後に衛星放送を受信できるか否かを再度判定し、
前記電源回路からLNB用電源の供給が行われている間、LNB用電源の供給に用いられる経路上を流れる電流を検出することによってショート状態の有無を検出することを繰り返し検出回路において行い、検出結果を表す検出信号を出力し、
前記検出回路によりショート状態が検出されたタイミングが、前記電源回路からLNB用電源を供給させて前記所定の時間経過後に衛星放送を受信できるか否かを再度判定することを行っている期間内のタイミングである場合、LNB用電源の供給を停止させ、ショート状態を検出したことを通知する警告を出力しない
ステップを含む制御方法。
【発明の詳細な説明】
【技術分野】
【０００１】
本発明は、受信装置、制御方法に関し、特に、様々な使用環境においても不具合が生じることのないようにLNB用電源のオン／オフを制御することができるようにした受信装置、制御方法に関する。
【背景技術】
【０００２】
静止衛星から一般家庭に向けて放送を行う衛星放送システムが普及期に入ってきている。そこで、衛星放送受信用チューナを搭載した薄型テレビジョン受像機や、ハードディスク、Blu-ray（商標）ディスク等の記録媒体に番組を録画する録画機器などが広く使用されるようになってきている。
【０００３】
図１は、従来の受信システムの構成例を示す図である。
【０００４】
この受信システムは、衛星放送受信用チューナ１２を搭載した受信装置１に対して、衛星アンテナ２がケーブルを介して接続されることによって構成される。図１に示すように、受信装置１には衛星放送受信用チューナ１２の他に、制御マイコン１６、DC電源回路１７などが設けられる。ここでは主な構成について説明する。
【０００５】
衛星アンテナ２は、12〜13GHz帯のBS(Broadcasting Satellite)、CS(Communications Satellite)の衛星放送信号を受信し、先端部に固定されたLNB３において1〜2GHz帯の衛星IF信号に変換する。LNB(Low Noise Block Down-Converter)３において得られた衛星IF信号は、ケーブルを介して受信装置１の入力端子１１に供給される。入力端子１１には、LNB３用のDC電源がチョークコイル２１を介してDC電源回路１７から供給されるようになっている。
【０００６】
入力端子１１には衛星放送受信用チューナ１２も接続される。衛星放送受信用チューナ１２は、チョークコイル２１、DCカットコンデンサ２２、RF信号増幅回路２３、ゼロIF変換回路２４、およびPSK復調回路２５から構成される。
【０００７】
チョークコイル２１は、LNB用のDC電源を入力端子１１に供給するとともに、入力端子１１に入力された衛星IF信号がDC電源回路１７側に漏れて減衰しないように遮断する。
【０００８】
DCカットコンデンサ２２は、衛星IF信号をRF信号増幅回路２３に通過させる。
【０００９】
RF信号増幅回路２３は、衛星IF信号を増幅させた後、ゼロIF変換回路２４に出力する。
【００１０】
ゼロIF変換回路２４は、PLL(Phase Lock Loop)シンセサイザよりなる選局用のデジタルチューニング回路を用いて、RF信号増幅回路２３から供給された衛星IF信号をベースバンドのIQ信号に周波数変換し、出力する。
【００１１】
PSK復調回路２５は、PLL回路によって再生されたキャリア信号を用いてIQ信号に対して復調処理を施し、伝送系で生じた誤り符号訂正を行うことによってMPEG-2フォーマットのTS(Transport Stream)を生成する。また、PSK復調回路２５は、PLL回路において同期が確保されているか否かを表すロック判別信号を制御マイコン（マイクロコンピュータ）１６に出力する。
【００１２】
DC電源回路１７は、15.5V電源回路３１、上側分圧抵抗３２、下側分圧抵抗３３、電流検出抵抗３４、およびコンパレータ３５から構成される。図１のDC電源回路１７においては、ショート状態の検出がコンパレータ３５を用いて行われるようになされている。
【００１３】
15.5V電源回路３１は、スイッチング方式のDC-DCコンバータ電源等を用いて、例えば右旋方式の衛星放送用の電源としての15.5Vを生成する。15.5V電源回路３１は、上側分圧抵抗３２と下側分圧抵抗３３において分圧して15.45Vをコンパレータ３５の正側入力に印加する。
【００１４】
また、15.5V電源回路３１は、電流検出抵抗３４を介して、衛星放送受信用チューナ１２のチョークコイル２１に15.45VのLNB用電源を供給するとともに、15.45Vをコンパレータ３５の負側入力に印加する。
【００１５】
コンパレータ３５は、正側入力に印加された電圧と負側入力に印加された電圧を比較することによってショート状態の有無を検出し、検出結果を表す検出信号を制御マイコン１６に出力する。例えば、検出信号がハイである場合、それはショート状態を検出していないことを表し、ローである場合、それはショート状態を検出したことを表す。
【００１６】
図２は、電流検出抵抗３４を流れる電流とLNB用電源の出力電圧の関係を示す図である。
【００１７】
例えば0.1Ωの電流検出抵抗３４に0.5A以上の電流が流れた場合、それにより電流検出抵抗３４で電圧が降下し、0.05V以上の電圧差が生じる。コンパレータ３５においてこの0.05V以上の電圧差が検出された場合、ショート状態を検出したことを表す検出信号が出力される。図２に示す３１Ω負荷は、ショート状態になったときにDC電源回路１７から見たLNB３側の負荷である。
【００１８】
制御マイコン１６は、入力ポートに供給されるコンパレータ３５からの検出信号に基づいて制御信号を15.5V電源回路３１に出力し、LNB用電源のオン／オフ（供給する／供給しない）を制御する。
【００１９】
例えば、制御マイコン１６は、コンパレータ３５からの検出信号がハイからローに変化した場合、LNB用電源をオフにすることを指示する制御信号を15.5V電源回路３１に出力し、LNB用電源をオフにする。これによりDC電源回路１７の異常発熱を防止することが可能になる。
【００２０】
また、制御マイコン１６は、LNB用電源をオフにするのと同時に、OSD(On Screen Display）回路を制御するなどして、ショート状態になっていることを視聴者に通知するための警告であるショート警告を表示パネル１５に表示させる。
【００２１】
図３のフローチャートを参照して、制御マイコン１６により行われるLNB用電源の制御処理について説明する。
【００２２】
図３の処理は、LNB用電源の制御モードの設定が「オート」になっているときに、所定のソフトウエアが制御マイコン１６により実行されることによって実現される。LNB用電源の制御モードには、LNB用電源を常に供給する設定である「オン」、常に供給しない設定である「オフ」の他に、制御マイコン１６がLNB用電源のオン／オフを状況に応じて切り替える設定である「オート」が用意されている。
【００２３】
LNB用電源の制御モードの設定が「オート」になっているときの制御ループには、図３の左側に示す、LNB用電源がオフの状態を初期状態として開始するループと、LNB用電源がオンの状態を初期状態として開始するループが存在する。
【００２４】
はじめに、LNB用電源がオフの状態を初期状態として開始するループについて説明する。
【００２５】
ステップＳ１において、制御マイコン１６は、衛星放送受信用チューナ１２を制御し、BS放送のチャンネルとCS放送のチャンネルのうちの１つのチャンネルを選局対象として衛星放送の選局を開始させる。選局対象とするチャンネルは、リモートコントローラを操作するなどしてユーザにより明示的に指示されることもあるし、BS放送、CS放送の番組表のデータを受信するために受信装置１により自動的に選択されることもある。
【００２６】
ステップＳ２において、制御マイコン１６は、LNB用電源がオフであっても衛星放送を受信することが可能であるか否かを判定する。いま選局している衛星放送のチャンネルを受信することが可能であるとき、PSK復調回路２５から制御マイコン１６に対して、PSK復調回路２５のPLL回路がロック状態にあることを表すロック判別信号が供給される。
【００２７】
衛星放送が受信可能であるとステップＳ２において判定した場合、ステップＳ３において、制御マイコン１６は、LNB用電源をオフにしたまま、衛星放送の受信を継続させる。
【００２８】
受信装置１の設置されている環境が、集合住宅の一室などのLNB用電源が不要な共聴システムの環境である場合、このように、LNB用電源がオフであっても衛星放送が受信可能となる。共聴システムにおいては、通常、衛星アンテナに対するLNB用電源は、それぞれの受信装置から供給されるのではなく、共有スペースに設置されているブースタ機器から供給される。
【００２９】
LNB用電源がオフである場合、後述するショート検出処理は行われない。その後、選局対象となるチャンネルが選択された場合、ステップＳ１以降の処理が繰り返される。
【００３０】
一方、衛星放送を受信することができないとステップＳ２において判定した場合、ステップＳ４において、制御マイコン１６は、自己の動作モードとして外部アンテナ探索モードを設定する。
【００３１】
受信装置１の設置されている環境が、一戸建て家屋等の、個別に設置された衛星アンテナを使用している環境である場合、LNB用電源を受信装置１から衛星アンテナに供給する必要がある。この場合、LNB用電源がオフの状態では衛星放送を受信することができず、外部アンテナ探索モードが設定されることになる。以下、適宜、一戸建て家屋等の、個別に設置された衛星アンテナを外部アンテナという。
【００３２】
外部アンテナ探索モードは、LNB用電源を供給してから約１秒間待機し、約１秒間経過後に、衛星放送のチャンネルが受信可能であるか否かを再度判定するモードである。制御マイコン１６は、LNB用電源をオンとし、約１秒間だけ待機する。
【００３３】
ステップＳ５において、制御マイコン１６は、衛星放送が受信可能であるか否かを判定する。
【００３４】
衛星放送が受信可能であるとステップＳ５において判定した場合、ステップＳ６において、制御マイコン１６は、LNB用電源をオンにしたまま、衛星放送の受信を継続させる。選局対象となるチャンネルが選択された場合、ステップＳ８以降の処理が行われる。
【００３５】
一方、衛星放送を受信することができないとステップＳ５において判定した場合、ステップＳ７において、制御マイコン１６はLNB用電源をオフにする。また、制御マイコン１６は、無信号であることを視聴者に通知する警告である無信号警告を表示パネル１５などから出力する。
【００３６】
例えば、外部アンテナが受信装置１に接続されていない場合や、外部アンテナの方向が正しい方向でなかったり豪雨が降っていたりする場合には、ステップＳ７においてLNB用電源がオフになるとともに無信号警告が出力される。その後、選局対象となるチャンネルが選択された場合、ステップＳ１以降の処理が行われる。
【００３７】
次に、LNB用電源がオンの状態を初期状態として開始されるループについて説明する。
【００３８】
ステップＳ８において、制御マイコン１６は、選局対象のチャンネルの選局を衛星放送受信用チューナ１２に開始させ、ステップＳ５以降の処理を行う。衛星放送が受信可能であるとステップＳ５において判定された場合にはステップＳ６においてLNB用電源の供給が継続され、その後、ステップＳ８以降の処理が行われる。
【００３９】
一方、衛星放送が受信できないとステップＳ５において判定された場合、ステップＳ７においてLNB用電源をオフにするとともに無信号警告を表示することが行われる。その後、ステップＳ１に戻り、LNB用電源がオフの状態を初期状態として開始されるループが、選局対象となるチャンネルが選択されたタイミングで開始される。
【００４０】
次に、図４のフローチャートを参照して、制御マイコン１６により行われるショート検出処理について説明する。
【００４１】
図４のショート検出処理は、LNB用電源がオンになっている場合にのみ、100msなどの所定の周期で繰り返し、割り込み処理として行われる。すなわち、外部アンテナを使用している場合だけでなく、共聴システムにおいても、外部アンテナ探索モードが設定され、LNB用電源が供給されている間などにショート検出処理が行われる。
【００４２】
ステップＳ１１において、制御マイコン１６は、コンパレータ３５からの出力に基づいてショート検出を行う。
【００４３】
ステップＳ１２において、制御マイコン１６は、ショート状態が検出されたか否かを判定する。
【００４４】
コンパレータ３５から供給された検出信号がハイであり、ショート状態が検出されていないとステップＳ１２において判定した場合、制御マイコン１６はステップＳ１１以降の処理を繰り返す。
【００４５】
一方、コンパレータ３５から供給された検出信号がハイからローに切り替わり、ショート状態を検出したとステップＳ１２において判定した場合、ステップＳ１３において、制御マイコン１６は、15.5V電源回路３１を制御し、LNB用電源をオフにする。
【００４６】
ステップＳ１４において、制御マイコン１６はショート警告を出力し、処理を終了させる。ショート警告には、ショート状態を解消させ、装置の電源を入れ直すことを視聴者に要求する旨のメッセージなども含まれる。
【００４７】
【特許文献１】特開平１０−２７６３７０号公報
【発明の開示】
【発明が解決しようとする課題】
【００４８】
受信装置のLNB用電源は、外部アンテナに取り付けられたケーブルだけでなく、集合住宅等の共聴システム用のケーブルに接続される可能性もある。
【００４９】
共聴システムにおいては、上述したようにブースタ機器からLNB用電源が供給され、衛星IF信号を増幅して同一建物内の他の受信装置に分配するようになされている。また、地上放送の信号であるUHF/VHF（以下、UVという）信号が、衛星IF信号に重畳して同一のケーブルによって供給されることがある。
【００５０】
このようにUV信号が重畳された衛星IF信号を、誤ってUV信号専用の分配器を用いて各部屋に供給するようにした場合、UV信号とBS信号は受信できるのにCS信号は受信できないといった状況になることがある。CS信号は高い周波数の信号であるからそのようなUV信号専用の分配器によって大きな損失が生じてしまうが、BS信号は低い周波数の信号であるためにUV信号専用の分配器を通過したとしても十分に受信可能な信号レベルにあることがある。CS放送の受信契約をしていない視聴者の中に、そのような誤った使用環境に気付かない人が多い。
【００５１】
また、CS放送が開始される以前に構築されたような共聴システムでは、CS信号を殆ど通過させないようなケーブルが用いられていることも多い。
【００５２】
さらに、UV信号専用の分配器は、LNB用電源を供給できるようなDC貫通型の構成を有していない。UV信号専用の分配器は、バルン・トランスによるインピーダンス変換回路、およびLとCによるインピーダンス整合回路で構成され、雷対策を考慮してGNDに対してDC的に約０Ωのショート状態になっていることが多い。
【００５３】
このような共聴システムではLNB用電源の供給は不要であるため、最初からショートした接続環境になっている可能性と、ショートの発生を防止することを考慮して、LNB用電源の制御モードの設定を常に「オフ」として固定にしておくのが望ましい。もしくは、ショートが発生したらLNB用電源の制御モードの設定を強制的に、かつ、その後常に「オフ」にしておくのが望ましい。
【００５４】
しかし、共聴システムでの使用を優先させて、このような設定にした状態で受信装置を出荷した場合、一戸建て家屋等において外部アンテナと接続させて使用したときには、視聴者が自ら設定を変更しない限りLNBに電源が供給されないことになる。従って、LNB用電源の制御モードの設定を常に「オフ」にしておくような方式では、衛星放送を受信できないといったクレームが視聴者から寄せられる可能性がある。
【００５５】
通電中のケーブルの芯線曲がり等により一時的なショートが発生した時にLNB用電源の制御モードを視聴者の知らない間に「オン」から「オフ」にするような方式の場合も同様の結果になる。
【００５６】
一方、外部アンテナに接続して使用する場合には、LNB用電源の制御モードの設定が常に「オン」になっていることが望ましい。
【００５７】
この場合、特に、録画機器とテレビジョン受像機が接続されていて１つの衛星アンテナに複数の機器からLNB用電源が供給されるようになっているときには、１つの機器の電源がオフになっても衛星放送の視聴が途切れることは無く、都合がよい。電源がオンになっている機器が一台でもあればその機器から供給されるLNB用電源によって衛星アンテナの動作は継続可能となる。
【００５８】
しかし、一戸建てでの使用を優先させて、LNB用電源の制御モードの設定を「オン」にした状態で出荷した場合、その受信装置を共聴システムで用いたときにはLNB用電源が供給された時点で過電流が流れてしまい、ショート警告が直ちに表示されてしまう。
【００５９】
このように、LNB用電源の制御モードの設定を常に「オン」にする方式も、「オフ」にする方式も、いずれの方式にも問題がある。
【００６０】
次に、LNB用電源の制御モードの設定を「オート」にした場合の得失について説明する。「オート」は、本来、このような「オン」、「オフ」の問題を解消するために採用されたものである。
【００６１】
共聴システムの環境下で衛星IF信号が正しく受信装置まで供給されている場合、図３を参照して説明したように、不要と判断されてLNB用電源を供給しないのでショートの問題は起きない（図３のステップＳ３）。また、CS信号は大きく減衰しているがBS信号は受信可能なレベルで供給されており、BS放送のチャンネルが選局対象として選択されている場合にも不要と判断されてLNB用電源を供給しないのでショートの問題は起きない。
【００６２】
この点は、LNB用電源の制御モードの設定を「オート」にしておくことのメリットといえる。
【００６３】
しかし、衛星放送の番組が視聴されていないときに自動的にCS放送の選局が行われることがあり、共聴システムにおいて供給されるCS信号が大きく減衰したものである場合、受信不可として判定され、外部アンテナ探索モードに入ってしまう（ステップＳ４）。視聴者が気付かないところでCS放送の番組表を自動的に更新することがあり、この場合、受信装置によりCS放送の選局が適宜行われる。ショートしている分配器が用いられているときにはCS信号が大きく減衰するから受信不可として判定される。視聴者が番組を視聴しようとしてCS放送の選局を指示した場合も同様のことが起こる。
【００６４】
この時、LNB用電源が約１秒間だけオンになってしまうので、この間に図４を参照して説明したショート検出処理が行われることによってショート警告が表示されてしまう。例えば視聴者が衛星放送ではなく地上波放送の番組を視聴している場合、ショート警告が表示されることによってその視聴が邪魔されてしまう。
【００６５】
この場合、UV信号専用の分配器を衛星放送受信用のDC貫通型の分配器に交換するか、受信装置のアンテナ電源の設定メニューから、LNB用電源を常にオフにするように設定し直さなければショート警告が消えることはない。このため、受信装置が故障しているものと判断され、視聴者からクレームが寄せられる可能性がある。
【００６６】
すなわち、LNB用電源の制御モードの設定を「オート」にした場合であっても、減衰した衛星IF信号しか供給されないような共聴システム環境下で受信装置が用いられるときには問題がある。この点は、LNB用電源の制御モードの設定を「オート」にしておくことのデメリットとなる。
【００６７】
また、一戸建てにおいて録画機器とテレビジョン受像機が外部アンテナに接続されており、録画機器の電源がテレビジョン受像機の電源よりも先に入れられた場合を想定する。この場合、録画機器からLNB用電源が供給されているため（図３のステップＳ６）、電源がオンになったときには衛星IF信号が外部アンテナから供給されているためにテレビジョン受像機からはLNB用電源が供給されない（ステップＳ３）。
【００６８】
ここで、例えば衛星放送の番組の録画終了と同時に録画機器の電源がオフになった場合、それまでのLNB用電源の供給が停止することからテレビジョン受像機が無信号状態になるとも考えられる。しかし、テレビジョン受像機のLNB用電源の制御モードの設定が「オート」であれば、直ちに外部アンテナ探索モード（ステップＳ４）に入り、そのままLNB用電源の供給が継続されるので（ステップＳ６）、衛星放送を受信できなくなるという問題は起きない。この点は、LNB用電源の制御モードの設定を「オート」にしておくことのメリットとなる。
【００６９】
以上のように、LNB用電源の制御モードの「オフ」、「オン」、「オート」のいずれの設定も、様々な使用環境を想定すると、現状の制御シーケンスのままではそれぞれ固有の問題が生じる可能性が残る。
【００７０】
例えば共聴システムへの対応を考えた場合、衛星放送が受信可能であればLNB用電源をオンにしないだけでなく、CS放送が受信不可と判定されたときであっても、ショート警告を出力しないような動作の「オート」設定が強く望まれている。
【００７１】
本発明はこのような状況に鑑みてなされたものであり、様々な使用環境においても不具合が生じることのないようにLNB用電源のオン／オフを制御することができるようにするものである。
【課題を解決するための手段】
【００７２】
本発明の一側面の受信装置は、LNB用電源を生成する電源回路と、制御信号を出力することによって前記電源回路からのLNB用電源の供給を制御し、LNB用電源を供給させていない状態において衛星放送を受信できるか否かを判定し、受信できないと判定した場合、前記電源回路からLNB用電源を供給させて所定の時間経過後に衛星放送を受信できるか否かを再度判定する制御回路と、前記電源回路からLNB用電源の供給が行われている間、LNB用電源の供給に用いられる経路上を流れる電流を検出することによってショート状態の有無を検出することを繰り返し行い、検出結果を表す検出信号を出力する検出回路と、前記検出回路から出力されたショート状態を検出したことを表す前記検出信号を、その信号が供給されてから前記所定の時間と同じ時間だけ、ショート状態を検出していないことを表す信号にして前記制御回路に出力する信号処理回路とを備える。
【００７３】
前記信号処理回路を、前記制御回路から供給された前記制御信号の値を反転させるとともに、前記所定の時間と同じ時間だけ遅延させた信号を出力する反転遅延回路と、前記反転遅延回路から出力された信号と、前記反転遅延回路に入力される前記制御信号に基づいてAND演算を行い、演算結果を出力するAND回路と、前記AND回路の出力と、前記検出回路の出力に基づいてOR演算を行い、演算結果を表す信号を前記制御回路に出力するOR回路とから構成することができる。
【００７４】
前記信号処理回路を、前記制御回路から供給された前記制御信号の値を反転させるとともに、前記所定の時間と同じ時間だけ遅延させた信号を出力する反転遅延回路と、前記反転遅延回路から出力された信号の値を反転させて前記制御回路に出力するNOT回路とから構成することができる。
【００７５】
本発明の一側面の制御方法は、LNB用電源を電源回路によって生成し、制御回路から制御信号を出力することによって前記電源回路からのLNB用電源の供給を制御し、LNB用電源を供給させていない状態において衛星放送を受信できるか否かを判定し、受信できないと判定した場合、前記電源回路からLNB用電源を供給させて所定の時間経過後に衛星放送を受信できるか否かを再度判定し、前記電源回路からLNB用電源の供給が行われている間、LNB用電源の供給に用いられる経路上を流れる電流を検出することによってショート状態の有無を検出することを繰り返し検出回路において行い、検出結果を表す検出信号を出力し、前記検出回路から出力されたショート状態を検出したことを表す前記検出信号を、その信号が供給されてから前記所定の時間と同じ時間だけ、ショート状態を検出していないことを表す信号にして信号処理回路から前記制御回路に出力するステップを含む。
【００７６】
本発明の他の側面の受信装置は、LNB用電源を生成する電源回路と、制御信号を出力することによって前記電源回路からのLNB用電源の供給を制御し、LNB用電源を供給させていない状態において衛星放送を受信できるか否かを判定し、受信できないと判定した場合、前記電源回路からLNB用電源を供給させて所定の時間経過後に衛星放送を受信できるか否かを再度判定する制御回路と、前記電源回路からLNB用電源の供給が行われている間、LNB用電源の供給に用いられる経路上を流れる電流を検出することによってショート状態の有無を検出することを繰り返し行い、検出結果を表す検出信号を出力する検出回路とを備える。前記制御回路は、前記検出回路によりショート状態が検出されたタイミングが、前記電源回路からLNB用電源を供給させて前記所定の時間経過後に衛星放送を受信できるか否かを再度判定することを行っている期間内のタイミングである場合、LNB用電源の供給を停止させ、ショート状態を検出したことを通知する警告を出力させない。
【００７７】
本発明の他の側面の制御方法は、LNB用電源を電源回路によって生成し、制御回路から制御信号を出力することによって前記電源回路からのLNB用電源の供給を制御し、LNB用電源を供給させていない状態において衛星放送を受信できるか否かを判定し、受信できないと判定した場合、前記電源回路からLNB用電源を供給させて所定の時間経過後に衛星放送を受信できるか否かを再度判定し、前記電源回路からLNB用電源の供給が行われている間、LNB用電源の供給に用いられる経路上を流れる電流を検出することによってショート状態の有無を検出することを繰り返し検出回路において行い、検出結果を表す検出信号を出力し、前記検出回路によりショート状態が検出されたタイミングが、前記電源回路からLNB用電源を供給させて前記所定の時間経過後に衛星放送を受信できるか否かを再度判定することを行っている期間内のタイミングである場合、LNB用電源の供給を停止させ、ショート状態を検出したことを通知する警告を出力しないステップを含む。
【００７８】
本発明の一側面においては、検出回路から出力されたショート状態を検出したことを表す検出信号が、その信号が供給されてから所定の時間だけ、ショート状態を検出していないことを表す信号にして信号処理回路から制御回路に出力される。
【００７９】
本発明の他の側面においては、ショート状態が検出されたタイミングが、電源回路からLNB用電源を供給させて所定の時間経過後に衛星放送を受信できるか否かを再度判定することを行っている期間内のタイミングである場合、LNB用電源の供給が停止され、ショート状態を検出したことを通知する警告が出力されない。
【発明の効果】
【００８０】
本発明によれば、様々な使用環境においても不具合が生じることのないようにLNB用電源のオン／オフを制御することができる。
【発明を実施するための最良の形態】
【００８１】
以下、発明を実施するための最良の形態について説明する。説明は以下の順序で行う。
１．第１の実施の形態（ショート状態の検出結果を表す検出信号とLNB用電源の制御信号に基づいて新たな検出信号をハードウエア的に生成する例）。
２．第２の実施の形態（検出信号に基づいて新たな検出信号をハードウエア的に生成する例）。
３．第３の実施の形態（警告の出力をソフトウエア的に制御する例）。
【００８２】
＜第１の実施の形態＞
図５は、本発明の一実施形態に係る受信装置１の構成例を示すブロック図である。
【００８３】
図５において、図１に示す構成と同じ構成には同じ符号を付してある。重複する説明については適宜省略する。
【００８４】
受信装置１は、テレビジョン受像機、録画機器、パーソナルコンピュータなどの、衛星放送の受信に対応した装置である。図５の例においては外部アンテナである衛星アンテナ２がケーブルを介して接続されているが、受信装置１は、共聴システムにおいて用いられる、各部屋に衛星放送信号を供給するケーブルに接続されることもある。
【００８５】
図５に示す受信装置１の構成は、信号処理回路５１が追加して設けられている点で図１に示す受信装置１の構成と異なる。図５の受信装置１においても、図３を参照して説明した「オート」設定時の処理が行われるとともに、LNB用電源がオンである場合、図４を参照して説明したショート検出処理が所定の周期で行われる。
【００８６】
受信装置１においては、LNB用電源のオン／オフを制御する制御信号と、それをミラー積分回路等により約１秒間だけ反転遅延させた信号を用いてAND演算を行うようになされている。ミラー積分回路は、ゲインＡ倍のOPアンプの帰還容量Ｃが等価的にＡ倍されることにより、大きな時定数を得るのに用いられる回路である。
【００８７】
制御信号を遅延させる約１秒間の時間は、図３を参照して説明したように、LNB用電源がオフであり、衛星放送を受信することができないときに設定される外部アンテナ探索モードによってLNB用電源が供給される時間と同じ時間である。
【００８８】
また、受信装置１においては、AND演算の結果と、ショート状態の有無の検出結果を表す検出信号を用いてOR演算を行うようになされている。
【００８９】
後に詳述するように、ショート状態の有無の検出結果を表す検出信号がハイからローに切り替わった場合であっても、ローに切り替わってから約１秒間はハイの検出信号が制御マイコン１６に供給される。
【００９０】
これにより、外部アンテナ探索モードによってLNB用電源が供給され、ショート状態であることが検出された場合であっても、それをいわば無効なものとし、ショート警告を表示しないようにすることが可能になる。
【００９１】
図５の各構成について説明する。衛星アンテナ２は、12〜13GHz帯のBS、CSの衛星放送信号を受信し、LNB３において1〜2GHz帯の衛星IF信号に変換する。LNB３において得られた衛星IF信号はケーブルを介して受信装置１の入力端子１１に供給される。
【００９２】
衛星放送受信用チューナ１２のチョークコイル２１は、LNB用のDC電源を入力端子１１に供給するとともに、入力端子１１に入力された衛星IF信号がDC電源回路１７側に漏れて減衰しないように遮断する。チョークコイル２１の端子２１Ａは、DC電源回路１７の15.5V電源回路３１の出力側に接続されている。
【００９３】
DCカットコンデンサ２２は、衛星IF信号をRF信号増幅回路２３に通過させる。
【００９４】
RF信号増幅回路２３は、衛星IF信号を増幅させた後、ゼロIF変換回路２４に出力する。
【００９５】
ゼロIF変換回路２４は、RF信号増幅回路２３から供給された衛星IF信号をベースバンドのIQ信号に周波数変換し、IQ信号をPSK復調回路２５に出力する。
【００９６】
PSK復調回路２５は、PLL回路によって再生されたキャリア信号を用いてIQ信号に対して復調処理を施すことによって得られたMPEG-2フォーマットのTSをMPEG-2復号回路１３に出力する。また、PSK復調回路２５は、PLL回路において同期が確保されているか否かを表すロック判別信号を制御マイコン１６に出力する。
【００９７】
MPEG-2復号回路１３は、TSをデコードすることによって得られた映像信号を映像信号処理回路１４に出力する。
【００９８】
映像信号処理回路１４は、MPEG-2復号回路１３から供給された映像信号を、視聴者の好みに合わせた輝度やコントラストの映像信号に調整する。映像信号処理回路１４は、調整後の映像信号をLED(Light Emitting Diode)やEL(Electroluminescence)などよりなる表示パネル１５に出力して映像を表示させる。
【００９９】
また、映像信号処理回路１４は、図示せぬ経路を介して制御マイコン１６から供給されるOSD信号に基づいて、ショート警告や無信号警告を表示パネル１５に表示させる。受信装置１が録画機器である場合、表示パネル１５は外部のテレビジョン受像機に設けられる。
【０１００】
制御マイコン１６は、信号処理回路５１からの信号に基づいて制御信号を15.5V電源回路３１に出力し、LNB用電源のオン／オフを制御する。例えば、制御マイコン１６は、信号処理回路５１からの信号がハイからローに変化した場合、ショート状態が検出されたと判断し、LNB用電源をオフにすることを指示する制御信号を出力する。
【０１０１】
制御信号がハイである場合、それはLNB用電源をオンにすることを表し、ローである場合、それはLNB用電源をオフにすることを表す。LNB用電源の起動（供給の開始）は、制御信号がローからハイに切り替わった時点で行なわれる。制御マイコン１６から出力された制御信号は信号処理回路５１にも供給される。
【０１０２】
DC電源回路１７の15.5V電源回路３１は、衛星放送用の電源としての15.5Vを生成し、上側分圧抵抗３２と下側分圧抵抗３３において分圧して15.45Vをコンパレータ３５の正側入力に印加する。また、15.5V電源回路３１は、電流検出抵抗３４を介して、衛星放送受信用チューナ１２のチョークコイル２１に15.45VのLNB用電源を供給するとともに、15.45Vをコンパレータ３５の負側入力に印加する。
【０１０３】
コンパレータ３５は、正側入力に印加された電圧と負側入力に印加された電圧を比較することによってショート状態の有無を検出し、検出信号を信号処理回路５１に出力する。例えば、検出信号がハイである場合、それはショート状態を検出していないことを表し、ローである場合、それはショート状態を検出したことを表す。
【０１０４】
信号処理回路５１は、制御マイコン１６から供給された制御信号と、コンパレータ３５から供給された検出信号に基づいて、ショート状態の有無の検出結果を表す新たな信号を生成し、制御マイコン１６に出力する。
【０１０５】
図６は、信号処理回路５１の構成例を示す回路図である。
【０１０６】
図６に示すように、信号処理回路５１は、反転遅延回路６１、AND回路６２、ダイオード６３，６４から構成される。制御マイコン１６から供給された制御信号は反転遅延回路６１とAND回路６２に入力され、コンパレータ３５から供給された検出信号はダイオード６４のアノード側に入力される。
【０１０７】
反転遅延回路６１に入力された制御信号は、抵抗Ｒを介してミラー積分用のOPアンプ７１の負側入力に入力される。OPアンプ７１の正側入力には、電圧源７２からのOPアンプ用の中点バイアス電圧が入力される。反転遅延回路６１は、ハイ／ローを反転させるとともに、約１秒間だけ遅延させた制御信号をAND回路６２に出力する。
【０１０８】
AND回路６２は、制御マイコン１６から供給された制御信号と、反転遅延回路６１から供給された制御信号に基づいてAND演算を行う。AND演算の結果はダイオード６３のアノード側に入力される。
【０１０９】
ダイオード６３と６４によりOR演算を行う回路が形成され、このOR回路において得られたOR演算の結果が、ショート状態の有無の検出結果を表す新たな検出信号として制御マイコン１６に出力される。
【０１１０】
図７は、信号処理回路５１において処理される信号の例を示す図である。
【０１１１】
図７の最上段に示す信号は制御マイコン１６から出力された制御信号である。
【０１１２】
この例においては時刻ｔにおいてローからハイに切り替わっている。時刻ｔにおいて外部アンテナ探索モードが設定された場合、このような制御信号が反転遅延回路６１とAND回路６２に入力される。15.5V電源回路３１においては、このような制御信号が入力されることに応じてLNB用電源の供給が開始される。LNB用電源がオンになった場合、図４を参照して説明したショート検出処理が所定の周期で行われる。
【０１１３】
図７の上から２段目に示す信号は反転遅延回路６１から出力された信号である。
【０１１４】
時刻ｔにおいて制御信号がローからハイに切り替わった場合、約１秒間の区間である時刻ｔから時刻ｔ＋１までの区間の信号は、ハイからローに切り替わる微分形成された信号となる。図７の上から２段目に示す水平方向の点線は、ハイとして判断するかローとして判断するかの閾値となる信号レベルを表す。時刻ｔ＋１まではハイとして判断され、時刻ｔ＋１以降はローとして判断される。
【０１１５】
図７の上から３段目に示す信号はAND回路６２から出力された信号である。
【０１１６】
１段目に示す制御信号と、それを反転遅延させた２段目の信号がともにハイである場合にハイの信号がAND演算の結果として出力される。AND回路６２の出力は、時刻ｔから時刻ｔ＋１までの区間においてハイの信号となる。
【０１１７】
図７の上から４段目に示す信号はコンパレータ３５から出力された検出信号である。
【０１１８】
時刻ｔにおいて制御信号がローからハイに切り替わり、LNB用電源の供給が開始されたタイミングでショート検出処理が行われることによってショート状態であることが検出された場合、検出信号は時刻ｔにおいてハイからローに切り替わる。ここでは、ショート検出処理にかかる時間等は無視して説明している。
【０１１９】
図７の上から５段目に示す信号は、ダイオード６３と６４により構成されるOR回路から出力された信号である。
【０１２０】
３段目に示すAND回路６２の出力と、４段目に示す検出信号のうちのいずれか一方がハイであればハイの信号がOR演算の結果として出力される。OR回路の出力は、検出信号がハイからローに切り替わってから約１秒後の時刻ｔ＋１においてハイからローに切り替わる信号になる。
【０１２１】
すなわち、OR回路の出力は、コンパレータ３５からの検出信号を約１秒間だけ遅延させた信号になる。
【０１２２】
このようなOR回路の出力が、新たな検出信号として制御マイコン１６に供給され、LNB用電源の制御に用いられる。新たな検出信号がハイからローに切り替わったタイミングで、LNB用電源をオフにすることを指示する制御信号が制御マイコン１６から出力される。
【０１２３】
このように、制御信号がローからハイに切り替わってLNB用電源の供給が開始されてから約１秒間は、コンパレータ３５からの検出信号がショート状態を検出したことを表すものであっても、ショート状態を検出していないことを表すように作り替えられる。
【０１２４】
これにより、外部アンテナ探索モードによってLNB用電源が供給されたときに図４の処理が行われ、ショート状態であることが検出された場合であっても、その検出結果を無効なものとし、ショート警告を表示しないようにすることが可能になる。外部アンテナ探索モードによってLNB用電源を供給したが衛星放送を受信することができない場合には無信号警告だけが出力されることになる（図３のステップＳ７）。
【０１２５】
以上においては、外部アンテナ探索モードが設定されたときにLNB用電源が供給される時間は約１秒間であるとしたが、違う時間であってもよい。この場合、反転遅延回路６１における遅延時間は、外部アンテナ探索モードが設定されたときにLNB用電源が供給される時間と同じ時間になるように調整される。
【０１２６】
＜第２の実施の形態＞
図８は、本発明の他の実施形態に係る受信装置１の構成例を示すブロック図である。
【０１２７】
図８において、図５に示す構成と同じ構成には同じ符号を付してある。重複する説明については適宜省略する。
【０１２８】
図８に示す受信装置１の構成は、制御マイコン１６から出力された制御信号が15.5V電源回路３１にだけ供給され、信号処理回路５１には供給されない点で図５に示す受信装置１の構成と異なる。
【０１２９】
信号処理回路５１は、DC電源回路１７のコンパレータ３５から供給された検出信号に基づいて、ショート状態の有無の検出結果を表す新たな信号を生成し、制御マイコン１６に出力する。
【０１３０】
図９は、図８の信号処理回路５１の構成例を示す回路図である。
【０１３１】
図９に示すように、信号処理回路５１は、反転遅延回路８１とNOT回路８２から構成される。コンパレータ３５から供給された検出信号は反転遅延回路８１に入力される。反転遅延回路８１の構成は図６に示す反転遅延回路６１の構成と同じ構成である。
【０１３２】
反転遅延回路８１は、ハイ／ローを反転させるとともに約１秒間だけ遅延させた、コンパレータ３５からの検出信号をNOT回路８２に出力する。
【０１３３】
NOT回路８２は、反転遅延回路８１から供給された信号のハイ／ローを反転させ、反転させた信号を、ショート状態の有無を表す新たな検出信号として制御マイコン１６に出力する。
【０１３４】
図１０は、制御マイコン１６から出力される制御信号と、図９の信号処理回路５１において処理される信号の例を示す図である。
【０１３５】
図１０の最上段に示す信号は制御マイコン１６から出力された制御信号である。
【０１３６】
この例においては時刻ｔにおいてローからハイに切り替わっている。時刻ｔにおいて外部アンテナ探索モードが設定された場合、このような制御信号が15.5V電源回路３１に入力され、LNB用電源の供給が開始される。
【０１３７】
図１０の上から２段目に示す信号はコンパレータ３５から出力された検出信号である。
【０１３８】
時刻ｔにおいて制御信号がローからハイに切り替わり、LNB用電源の供給が開始されたタイミングでショート検出処理が行われることによってショート状態であることが検出された場合、検出信号は時刻ｔにおいてハイからローに切り替わる。このような検出信号が反転遅延回路８１に入力される。
【０１３９】
図１０の上から３段目に示す信号は反転遅延回路８１から出力された信号である。
【０１４０】
時刻ｔにおいて検出信号がハイからローに切り替わった場合、約１秒間の区間である時刻ｔから時刻ｔ＋１までの区間の信号は、ローからハイに切り替わる微分形成された信号となる。図１０の上から３段目に示す水平方向の点線は、ハイとして判断するかローとして判断するかの閾値となる信号レベルを表す。時刻ｔ＋１まではローとして判断され、時刻ｔ＋１以降はハイとして判断される。
【０１４１】
図１０の上から４段目に示す信号はNOT回路８２から出力された信号である。
【０１４２】
反転遅延回路８１から出力された信号は時刻ｔ＋１まではロー、時刻ｔ＋１以降はハイの信号であるから、NOT回路８２から出力される信号は、それを反転させた形で、時刻ｔ＋１まではハイ、時刻ｔ＋１以降はローの信号になる。
【０１４３】
すなわち、NOT回路８２の出力は、２段目に示すコンパレータ３５からの検出信号を約１秒間だけ遅延させた信号になる。
【０１４４】
このようなNOT回路８２の出力が、新たな検出信号として制御マイコン１６に供給され、LNB用電源の制御に用いられる。新たな検出信号がハイからローに切り替わったタイミングで、LNB用電源をオフにすることを表す制御信号が制御マイコン１６から出力される。
【０１４５】
このような構成によっても、外部アンテナ探索モードによってLNB用電源が供給されたときに図４の処理が行われ、ショート状態であることが検出された場合、その検出結果を無効なものとし、ショート警告を表示しないようにすることが可能になる。
【０１４６】
＜第３の実施の形態＞
外部アンテナ探索モードによってLNB用電源が供給されたときにショート検出処理が行われ、ショート状態であることが検出された場合に、その検出結果を無効なものにすることをソフトウエア的に行うようにすることも可能である。
【０１４７】
この場合、受信装置１の構成は図１の構成と同じ構成になる。受信装置１においては、図３を参照して説明した「オート」設定時の処理が行われるとともに、LNB用電源がオンである場合、図１１に示すショート検出処理が所定の周期で行われる。
【０１４８】
なお、「オート」設定時の図３の処理において、そのステップＳ４において外部アンテナ探索モードが設定された場合、外部アンテナ探索モードが設定されていることを表す、１ビットのフラグが制御マイコン１６により記録される。このフラグが記録されている間、ショート検出処理によってショート状態が検出された場合であってもショート警告は表示されない。約１秒間の時間が経過し、外部アンテナ探索モードでの動作が終了した場合、フラグも消去される。
【０１４９】
図１１のフローチャートを参照して、ショート検出処理について説明する。
【０１５０】
図１１のショート検出処理も、LNB用電源がオンになっている場合にのみ、100msなどの所定の周期で繰り返し、割り込み処理として行われる。
【０１５１】
ステップＳ３１において、制御マイコン１６は、コンパレータ３５からの出力に基づいてショート検出を行う。
【０１５２】
ステップＳ３２において、制御マイコン１６は、ショート状態が検出されたか否かを判定する。
【０１５３】
ショート状態が検出されていないとステップＳ３２において判定した場合、制御マイコン１６はステップＳ３１以降の処理を繰り返す。
【０１５４】
一方、ショート状態を検出したとステップＳ３２において判定した場合、ステップＳ３３において、制御マイコン１６は、衛星放送が受信可能であるか否かを判定する。
【０１５５】
衛星放送が受信可能であるとステップＳ３３において判定した場合、ステップＳ３４において、制御マイコン１６は、LNB用電源をオフとし、衛星放送の受信を継続させる。例えば、アンテナの切り替えスイッチが操作されることにより、外部アンテナに接続されていた状態から、DC的にショートした、LNB用電源が不要の共聴システムに接続されるように切り替えられた場合などにステップＳ３４の処理が行われる。アンテナの切り替えについては後述する。
【０１５６】
また、制御マイコン１６は、ステップＳ３４において、ショート状態であることが検出されているもののショート警告を出力しない。その後、ステップＳ３１以降の処理が所定のタイミングで行われる。
【０１５７】
一方、衛星放送を受信することができないとステップＳ３３において判定した場合、ステップＳ３５において、制御マイコン１６は、フラグを参照し、いまの受信装置１の状態が、外部アンテナ探索モードが設定されている状態であるか否かを判定する。
【０１５８】
外部アンテナ探索モードが設定されている状態であるとステップＳ３５において判定した場合、ステップＳ３６において、制御マイコン１６はLNB用電源をオフにする。また、制御マイコン１６は、ショート状態であることが検出されているもののショート警告を出力しない。その後、ステップＳ３１以降の処理が所定のタイミングで行われる。
【０１５９】
一方、外部アンテナ探索モードが設定されている状態ではないとステップＳ３５において判定した場合、ステップＳ３７において、制御マイコン１６はLNB用電源をオフにする。また、制御マイコン１６は、ショート警告を出力するとともに無信号警告を出力する。
【０１６０】
例えば、外部アンテナに受信装置１が接続されている状態で衛星放送を通常どおり視聴していたが、その視聴中にショートが実際に発生し、外部アンテナにLNB用電源が供給されなくなった場合、ステップＳ３７の処理が行われる。その後、ステップＳ３１以降の処理が所定のタイミングで行われる。
【０１６１】
以上の処理により、外部アンテナ探索モードによってLNB用電源が供給されたときにショート状態であることが検出された場合であっても、ショート警告を表示しないようにすることが可能になる。視聴者はショート警告に煩わされることなく、次の選局操作等を継続して行なうことができる。
【０１６２】
また、ショートを検出した瞬間にLNB用電源をオフにすることによって不要な発熱を抑えることも可能になる。
【０１６３】
ステップＳ３４の処理において説明したアンテナの切り替えスイッチを用いた構成について説明する。
【０１６４】
衛星アンテナの特殊な使用法として、外部アンテナと、DC的にショートした共聴システムのアンテナを切り替えスイッチで切り替えて使うといった方法がある。例えば欧州においては各国の衛星放送がそれぞれ行われており、あるときは共聴システムを使って番組を視聴し、またあるときは特定の国の衛星放送の番組のみを、視聴者が個別に用意した専用の外部アンテナで受信し、視聴するようなことが行われている。
【０１６５】
この状況で、外部アンテナに接続して番組を視聴していた状態から共聴用システムに接続した状態に切り替えたときにショート検出処理が行われた場合、ショート状態が検出され、ショート警告が瞬時に出力されてしまうことになる。
【０１６６】
そこで、ステップＳ３４の処理は、共聴用システムに接続した状態に切り替えたときにショート状態が検出された場合であっても、衛星放送が受信可能であるならばショート警告が出力されないようになっている。これにより、ショート警告を表示することなく、衛星放送の番組の視聴を継続させることが可能になる。
【０１６７】
以上の各構成により、様々な使用環境においても不具合が生じることのないようにLNB用電源のオン／オフを制御することが可能になる。
【０１６８】
例えば、ショートしたUV分配器を使用している共聴システムの環境下で、表示する映像を外部ビデオ信号の映像等に切り替えた直後に受信装置が衛星放送の番組表を裏側で更新しようとした場合を考える。
【０１６９】
この場合、CS信号が大きく減衰しているために外部アンテナ探索モードに入ることになるが、ここでショート状態が検出されたとしてもLNB用電源を直ちにオフにするのみでショート警告は出力されない。
【０１７０】
従って、視聴者は外部ビデオ信号の映像の視聴等を継続することができる。また、BS信号が受信可能なレベルで供給されている場合、BS放送の番組表については、最新のものに更新することが可能になる。
【０１７１】
また、豪雨等により衛星IF信号が無信号状態になったり、外部の録画機器からLNB用電源が供給されていたが、その供給がテレビジョン受像機において衛星放送の番組を視聴している最中に停止したりした場合を考える。
【０１７２】
この場合、テレビジョン受像機において外部アンテナ探索モードが設定され、ショート検出処理が行われることによってショート状態が検出されることになるがショート警告は表示されず、正常な受信状態を継続することが可能になる。
【０１７３】
また、検出信号を約１秒間遅延させることによって短時間のショート状態は検出されなくなるので、短時間のミスであれば、不注意によるケーブルの接続ミスを気にしなくても良いというメリットも生まれる。LNB用電源を供給するケーブルの芯線を誤ってGNDにショートさせたとしてもそれが約１秒以内であればショート警告が表示されることはない。
【０１７４】
図１１の処理を制御マイコン１６に実行させるためのソフトウエアを構成するプログラムは、光ディスクなどよりなるリムーバブルメディアに記録して提供される。また、ローカルエリアネットワーク、インターネット、デジタル放送といった、有線または無線の伝送媒体を介して提供されるようにしてもよい。プログラムは、受信装置１内のROMやハードディスクに、あらかじめインストールしておくことができる。
【０１７５】
本発明の実施の形態は、上述した実施の形態に限定されるものではなく、本発明の要旨を逸脱しない範囲において種々の変更が可能である。
【図面の簡単な説明】
【０１７６】
【図１】従来の受信システムの構成例を示す図である。
【図２】電流検出抵抗を流れる電流とLNB用電源の出力電圧の関係を示す図である。
【図３】制御マイコンのLNB用電源の制御処理について説明するフローチャートである。
【図４】制御マイコンのショート検出処理について説明するフローチャートである。
【図５】本発明の一実施形態に係る受信装置の構成例を示すブロック図である。
【図６】図５の信号処理回路の構成例を示す回路図である。
【図７】図５の信号処理回路において処理される信号の例を示す図である。
【図８】本発明の他の実施形態に係る受信装置の構成例を示すブロック図である。
【図９】図８の信号処理回路の構成例を示す回路図である。
【図１０】図８の信号処理回路において処理される信号の例を示す図である。
【図１１】制御マイコンの他のショート検出処理について説明するフローチャートである。
【符号の説明】
【０１７７】
１  受信装置，  ２  衛星アンテナ，  ３  LNB，  １２  衛星放送受信用チューナ，  １６  制御マイコン，  １７  DC電源回路，  ３１  15.5V電源回路，  ３５  コンパレータ，  ５１  信号処理回路，  ６１  反転遅延回路，  ６２  AND回路，  ６３，６４  ダイオード，  ８１  反転遅延回路，  ８２  NOT回路
【図１】
2010147781.tif 000003
【図２】
2010147781.tif 000004
【図３】
2010147781.tif 000005
【図４】
2010147781.tif 000006
【図５】
2010147781.tif 000007
【図６】
2010147781.tif 000008
【図７】
2010147781.tif 000009
【図８】
2010147781.tif 000010
【図９】
2010147781.tif 000011
【図１０】
2010147781.tif 000012
【図１１】
2010147781.tif 000013